(57)【要約】      （修正有）【課題】被処理水に含まれるＳＳ分の除去を効率的に行う。【解決手段】担体濾過槽２において、被処理水によって担体を洗浄すると共に、洗浄によって、担体から除去したＳＳ分を含む被処理水を担体流動槽１に戻す。【選択図】図１
2018138291.tif 000002
【特許請求の範囲】
【請求項１】
一次処理槽と二次処理槽とを備えた排水処理装置であって、
前記二次処理槽は、該二次処理槽の平面方向で対面するように区画された担体流動槽及び担体濾過槽を有すると共に、担体流動槽と担体濾過槽とを区画する区画壁に開口された移流口を有し、
前記担体濾過槽は、該担体濾過槽の底部から上方に向かって積層状に収容された担体と、
上端開口部を前記担体濾過槽の被処理水の上限位置よりも上位とすると共に、下端開口部を積層された前記担体の上端よりも上位として配置された分離管と、
前記担体の最大径よりも大径とする内径を有し、下端開口部を前記分離管の下端開口部よりも下位とすると共に、積層された前記担体の上端よりも上位として、前記分離管の内側に挿入された揚水管と、
前記担体濾過槽の底部に、前記揚水管の前記下端開口部に向けて空気を噴射するように設けられた噴射部と、
前記揚水管と前記担体流動槽にわたるように設けられ、前記揚水管を上昇する被処理水と前記担体とを分離する分離装置とを備え、
前記分離装置は、前記担体濾過槽の前記被処理水の上限位置よりも上位に設定され、前記揚水管に該揚水管の内径以上の内径として確保された排出口と、前記分離管内と前記担体流動槽内とにわたるように配管されていると共に、排水口が前記担体流動槽の前記被処理水の上限位置よりも上位に設定された排水管と、前記揚水管を上昇する前記被処理水を前記排水管に通水すると共に、前記担体の最小径未満とする大きさの通水口を有する通水部とを備えていることを特徴とする排水処理装置。
【請求項２】
前記下端開口部と前記噴射部とが同軸であることを特徴とする請求項１記載の排水処理装置。
【請求項３】
前記担体濾過槽と、前記分離管と、前記揚水管とが同軸であることを特徴とする請求項１又は２記載の排水処理装置。
【請求項４】
請求項１乃至請求項３いずれか１項に記載の排水処理装置による排水処理方法であって、前記担体濾過槽に流入した前記被処理水を前記担体で濾過すると共に、前記噴射部による空気の噴射によって、前記揚水管内を上昇する前記被処理水の一部と前記担体とを前記排出口を介して前記分離管内に戻す一方、前記揚水管内を上昇する前記被処理水の一部を、前記通水部を介して前記排水管に通水して前記担体流動槽へ排水することを特徴とする排水処理方法。
【発明の詳細な説明】
【技術分野】
【０００１】
本発明は、一次処理槽と二次処理槽とを備えた排水処理装置及び排水処理方法に関する。
【背景技術】
【０００２】
従来、一次処理槽と二次処理槽とを備えた排水処理装置及び排水処理方法は、下記の特許文献１に記載のものが知られている。
【０００３】
特許文献１に記載の排水処理装置及び排水処理方法は、一次処理槽で固液を分離した被処理水を、二次処理槽に流入させて、流入した被処理水を二次処理槽で好気処理及び濾過するものである。
【０００４】
二次処理槽には、担体が流動するように収容された担体流動槽と、担体流動槽と区画され、多数の担体を収容した担体濾過槽とが備えられており、担体流動槽と担体濾過槽とが、二次処理槽の下方で被処理水が通水するようにされている。
【０００５】
二次処理槽は、一次処理槽からの被処理水を、担体流動槽に流入させてこの担体流動槽で好気処理すると共に、処理された被処理水を担体流動槽から担体濾過槽に流入させ、この担体濾過槽で更に好気処理と濾過するようになっている。
【０００６】
担体濾過槽の担体は、エアリフトポンプ内に被処理水の移送のために供給される空気と、担体を被処理水と共に底部から上部に循環移動させるために散気管から供給される空気により、担体に微生物が生息し、担体濾過槽で更に好気処理されるようになっている。
【０００７】
また、担体濾過槽では、エアリフトポンプによって被処理水が担体流動槽から担体濾過槽の底部に供給され、担体濾過槽の上部に配置された処理水槽の移流口へ還流する間に積層された濾材により被処理水が濾過されるようになっている。
【０００８】
このような二次処理槽によって、被処理水を好気処理と濾過することができると共に、担体は担体濾過槽内の散気管から供給される空気との衝突と、担体濾過槽内の吐出口から被処理水から水面に放出された際の衝撃により、常に洗浄されながら循環移動する。
【先行技術文献】
【特許文献】
【０００９】
【特許文献１】特開２０１２−２１３６９６号公報
【発明の概要】
【発明が解決しようとする課題】
【００１０】
しかしながら、この特許文献１の従来技術は、被処理水に含まれる浮遊汚濁成分（ＳＳ分）を担体に付着させてＳＳ分を除去しつつ、付着したＳＳ分を剥離させて担体を洗浄するものであるため、担体濾過槽において好気性分解が行われるにしても、担体のＳＳ分の除去と洗浄が繰り返されることになり、被処理水に含まれるＳＳ分の除去が非効率的であるばかりか、ＳＳ分を含んだ被処理水が排水されてしまうという問題があった。また、担体濾過槽内を還流する被処理水は、担体濾過槽内の担体と一緒に還流するため、濾過の作用によりＳＳ分を除去できないという問題があった。
【課題を解決するための手段】
【００１１】
前述の問題点を解決するため、本発明は以下の手段を採用した。
【００１２】
一次処理槽と二次処理槽とを備えた排水処理装置であって、前記二次処理槽は、該二次処理槽の平面方向で対面するように区画された担体流動槽及び担体濾過槽を有すると共に、担体流動槽と担体濾過槽とを区画する区画壁に開口された移流口を有し、前記担体濾過槽は、該担体濾過槽の底部から上方に向かって積層状に収容された担体と、上端開口部を前記担体濾過槽の被処理水の上限位置よりも上位とすると共に、下端開口部を積層された前記担体の上端よりも上位として配置された分離管と、前記担体の最大径よりも大径とする内径を有し、下端開口部を前記分離管の下端開口部よりも下位とすると共に、積層された前記担体の上端よりも上位として、前記分離管の内側に挿入された揚水管と、前記担体濾過槽の底部に、前記揚水管の前記下端開口部に向けて空気を噴射するように設けられた噴射部と、前記揚水管と前記担体流動槽にわたるように設けられ、前記揚水管を上昇する被処理水と前記担体とを分離する分離装置とを備え、前記分離装置は、前記担体濾過槽の前記被処理水の上限位置よりも上位に設定され、前記揚水管に該揚水管の内径以上の内径として確保された排出口と、前記分離管内と前記担体流動槽内とにわたるように配管されていると共に、排水口が前記担体流動槽の前記被処理水の上限位置よりも上位に設定された排水管と、前記揚水管を上昇する前記被処理水を前記排水管に通水すると共に、前記担体の最小径未満とする大きさの通水口を有する通水部とを備えていることを特徴とする排水処理装置にしたことである。
【図面の簡単な説明】
【００１３】
【図１】本発明に係る一実施形態の排水処理装置の平面図である。
【図２】図１の（２）-（２）線断面図である。
【図３】図１の（３）-（３）線断面図である。
【図４】図１の（４）-（４）線断面図である。
【図５】図１の（５）-（５）線断面図である。
【図６】図１の要部拡大図であり、一部を断面して示す。
【図７】図６の（７）-（７）線断面図である。
【図８】図６の（８）-（８）線断面図である。
【発明を実施するための形態】
【００１４】
以下、本発明に係る一実施形態の排水処理装置を図１〜図８に基づいて説明する。
【００１５】
排水処理装置Ａは、一次処理槽Ａ１と二次処理槽Ａ２とを備えており、汚水を一次処理槽Ａ１で一次処理（固液分離処理）し、一次処理された被処理水を二次処理槽Ａ２に流入させて、二次処理槽Ａ２で被処理水を二次処理（好気性分解処理及び担体濾過処理）するものである。
【００１６】
排水処理装置Ａは、点検蓋Ａ１０が地面Ｇから露出するように埋設して使用される。
【００１７】
一次処理槽Ａ１は、図１及び図２に示すように、固液分離槽Ａ１１と、汚水流入管Ａ４、固液分離装置Ａ５、分離槽桶Ａ６、固液分離槽Ａ１１の被処理水を二次処理槽Ａ２に移送する移送管５及びポンプＰ等を備えた固液分離処理方式ものである。尚、一次処理槽Ａ１は、固液分離処理方式の他、嫌気処理方式等の他の処理方式を用いてもよい。
【００１８】
二次処理槽Ａ２は、図１〜図８に示すように、固液分離槽Ａ１１と仕切板Ａ７で仕切られた担体流動槽１と、担体流動槽１と二次処理槽Ａ２内において区画壁２０で区画された担体濾過槽２と、処理水槽３とを備えており、一次処理槽Ａ１から被処理水が担体流動槽１に流入すると共に、流入された被処理水を担体流動槽１で好気性分解し、次いで、好気性分解された被処理水を担体濾過槽２に流入させると共に、流入した被処理水を担体濾過槽２で担体濾過し、次いで、担体濾過された被処理水を処理水槽３に流入させるようにされている。
【００１９】
担体流動槽１は、被処理水に底部から空気を散気する散気部１０が配置されており、散気部１０から散気される空気の勢いによって、被処理水を流動させると共に、散気によって細分化された空気を被処理水の全体にわたって分散できるようにされている。
【００２０】
また、担体流動槽１には、比重が小さい第１担体４Ａが複数収容されており、第１担体４Ａが散気部１０から散気される空気の勢いによって、被処理水中の全体に分散しながら回遊するようになっている。
【００２１】
散気部１０は、担体流動槽１の底部に配置した噴出部１０Ａと、噴出部１０Ａから汚水浄化槽Ａの外側へ配管された吸気管１０Ｂとを有しており、吸気管１０Ｂに接続されたエアポンプ（図示せず）によって、空気を吸気管１０Ｂから吸気すると共に、吸気した空気を噴出部１０Ａから担体流動槽１に散気するようにされている。
【００２２】
このような担体流動槽１は、散気される空気の勢いによって、被処理水が流動すると共に、散気によって細分化された空気が被処理水の全体にわたって分散することによって、被処理水に含まれる有機物の好気性分解を効率よく行うことができると共に、被処理水中の全体に分散しながら回遊する第１担体４ＡがＳＳ分を効率よく捕捉することができる。
【００２３】
担体濾過槽２は、図２、図３に示すように、比重が大きい第２担体（担体）４Ｂが積層状に収容されており、上方が開放され、区画壁２０の中途から底部２１へ向かって先細り状となる傾斜面２２を備えた容器状に形成されている。
【００２４】
また、担体濾過槽２は、区画壁２０及び底部２１で担体流動槽１と仕切られていると共に、傾斜面２２によって、第２担体４Ｂが底部２１に集まりやすいようにされている。
【００２５】
区画壁２０には、担体流動層１と担体濾過槽２を連通する移流口２Ａが設けられており、この移流口２Ａを介して担体流動層１の被処理水が担体濾過槽２へ流入するようにされている。
【００２６】
移流口２Ａは、区画壁２０の傾斜面２２の基端部(角部)近くに開口されていると共に、第１担体４Ａ及び第２担体４Ｂの直径より小径な孔を有するパンチングメタル２Ｂが配されており、このパンチングメタル２Ｂによって、第１担体４Ａの担体濾過槽２への流入及び第２担体４Ｂの担体流動層１への流出を防止するようにされている。尚、パンチングメタル２Ｂに換えて、網や切起こし鋼板等を用いることができる。
【００２７】
移流口２Ａの上方、且つ区画壁２０の内側には、傾斜面２２と同じ方向に傾斜する傾斜板２Ｃが周設されている。この傾斜板２Ｃは、上端が区画壁２０の周囲に沿って固着され、下端と区画壁２０との間に、第２担体４Ｂが入り込む空間Ｓを確保して配されている。
【００２８】
空間Ｓは、第２担体４Ｂが入り込んだ状態において、空間Ｓの上端の角部に第２担体が入り込まない隙間Ｓ１が生じるようになっており、この隙間Ｓ１が被処理水の通水空間として利用され、移流口２Ａから流入する被処理水を、区画壁２０の周囲に沿って回るように案内するようになっている。
【００２９】
また、隙間Ｓ１は、移流口２Ａと対面しており、移流口２Ａから流入する被処理水の一部が直接流れ込むようにされると共に、流れ込む被処理水がそのまま隙間Ｓ１に案内されて、区画壁２０の周囲に沿って回るようにされている。
【００３０】
担体濾過槽２には、担体濾過槽２内を仕切るように配置された分離管６と、分離管６の内側に配置された揚水管７と、担体濾過槽２内に空気を噴射する噴射部２３とが備えられている。
【００３１】
分離管６は、担体濾過槽２と同軸、且つ分離管６の下端開口部６０が、担体濾過槽２の底部２１に積層された第２担体４Ｂの上端よりも上方に位置するように配置されている。
【００３２】
また、分離管６の上端開口部６１が、担体濾過槽２の被処理水の上限位置Ｌ１よりも上方、且つ後述する移流口３１の上端縁よりも上方に位置するように配置されており、被処理水が移流口３１の上端縁に至る位に増量しても、分離管６内の被処理水の分離管６外への流出を防ぐようにされている。
【００３３】
このような分離管６によって、分離管６の内側に貯留される被処理水と分離管６の外側に貯留される被処理水とを分離できると共に、分離管６の内側に貯留される被処理水を分離管６の外側の担体濾過槽２への流出を防ぐことができる。
【００３４】
揚水管７は、第２担体４Ｂの最大直径よりも大径とする内径を有し、分離管６内に、この分離管６と同軸として配置されており、揚水管７の上端側には、分離装置８が接続されている。
【００３５】
揚水管７は、分離管６と同軸、且つ下端開口部７Ａが底部２１と正対するように、底部２１と接近した位置に配置されている。
【００３６】
担体濾過槽２の底部２１には、空気を噴射する噴射部２３が接続されており、底部２１から担体濾過槽２内に空気を噴射することで、下端開口部７Ａから揚水管７内に被処理水と第２担体４Ｂを流入させると共に、被処理水及び第２担体４Ｂを揚水管７内で上昇させるようになっている。
【００３７】
噴射部２３は、底部２１に分離管６と同軸で接続したノズル２３Ａと、２３Ａから汚水浄化槽Ａの外側へ配管された吸気管２３Ｂとを有し、吸気管２３Ｂに接続されたエアポンプ（図示せず）によって、空気を吸気管２３Ｂからノズル２３Ａを介して、揚水管７内に噴射するようにされている。
【００３８】
分離装置８は、揚水管７を上昇する第２担体４Ｂと被処理水とを振り分けて、第２担体４Ｂを分離管６内に戻し、被処理水を担体流動槽１に戻すようにしたものである。
【００３９】
分離装置８は、図６〜図８に示すように、揚水管７の内径と同径の内径を有して揚水管７と連通する排出管８０と、排出管８０の外周を囲むように設けられた通水空間８１と、通水空間８１の上端部に設けられた通水部８２と、通水空間８１の側部から担体流動槽１にわたるように設けられた排水管８３とを備えている。
【００４０】
排出管８０の上端には、上向きとして開口された排出口８０Ａが設けられており、この排出口８０Ａは、分離管６の内側で、担体濾過槽２の被処理水の上限位置Ｌ１よりも上位に配置されている。
【００４１】
排出口８０Ａは、揚水管７を上昇する第２担体４Ｂと、通水空間８１に至らない被処理水とを、排出口８０Ａから分離管６内に戻すようにされている。
【００４２】
通水空間８１は、排出口８０Ａから排出される被処理水が通水部８２を介して流入し、流入した被処理水を排水管８３へ案内する空間であり、通水空間８１の下端を上限位置Ｌ１よりも上位として、排出管８０の周囲の全域に確保されている。
【００４３】
通水部８２は、第２担体４Ｂが通過しない程度の大きさとする多数の通水口を有しており、排出口８０Ａから排出される被処理水及び第２担体４Ｂが分離管６に至る道中において、被処理水のみを通水空間８１の外側上端部から通水空間８１内に案内することができるようにされている。
【００４４】
尚、通水部８２は、通水空間８１の側壁に開口してもよく、第２担体４Ｂを通過させず、被処理水のみを通水空間８１に通水させることができる構成であればよい。
【００４５】
排水管８３は、通水空間８１の側部から、区画壁２０及び仕切板Ａ７を水密状に貫通して固液分離槽２に至ると共に、固液分離槽２から仕切板Ａ７を水密状に貫通して担体流動槽１に至るように配管され、排水口８３Ａが担体流動槽１に臨むようにされている。
【００４６】
排水口８３Ａは、上限位置Ｌ２よりも上位となる位置に至るように配置されており、通水空間８１からの被処理水を担体流動槽１に排水するようにされている。
【００４７】
処理水槽３は、図１、図３、図６に示すように、担体濾過槽２と仕切板Ａ８で仕切られていると共に、仕切板Ａ８に設けられた前述の移流口３１を介して連通されており、担体濾過槽２で担体濾過された被処理水が移流口３１を介して流入するようにされている。
【００４８】
移流口３１の下端は、図７に示すように、担体濾過槽２の被処理水の下限位置Ｌ１’よりも下方に設定されており、下限位置Ｌ１’を越えた担体濾過槽２の被処理水が、移流口３１を介して処理水槽３に流入するようにされている。
【００４９】
また、処理水槽３は、担体流動槽１に設けられた消毒槽３０と流入口３２を介して連通されており、処理水槽３から流入口３２を介して消毒槽３０に流入する被処理水を消毒し、消毒された被処理水を消毒槽３０から二次処理槽Ａ２の外側へ配管された排水管３３を介して排水するようにされている。
【００５０】
流入口３２は、流入口３２の下端が処理水槽３の被処理水の下限位置Ｌ３と同等程度に設定されており、下限位置Ｌ３を越えた処理水槽３の被処理水が、流入口３２を介して消毒槽３０に流入するようにされている。
【００５１】
また、図１及び図７に示すように、処理水槽３と一次処理槽Ａ１とにわたって、処理水槽３の被処理水を一次処理槽Ａ１に戻す返送管Ａ９が配管されている。
【００５２】
返送管Ａ９には、吸気管Ａ９０が接続されており、返送管Ａ９に接続されたポンプＰ１が処理水槽３の被処理水を吸い上げたときに、吸気管Ａ９０内に生じる負圧によって、吸気管Ａ９０が空気を吸い込むと共に、吸い込んだ空気を返送管Ａ９内に供給するようにされている。
【００５３】
担体濾過槽１の被処理水の下限位置Ｌ１’は、図７に示すように、処理水槽３の被処理水の下限位置Ｌ３と同じ高さ位置とすると共に、担体流動槽１の上限位置Ｌ２の位置よりも高い位置に設定されている。
【００５４】
すなわち、下限位置Ｌ１’と上限位置Ｌ２とに高さ方向で段差を設け、上限位置Ｌ２を下限位置Ｌ１’よりも低くしたことによって、一次処理槽Ａ１から流入する被処理水が大量であるときに、この被処理水を担体濾過槽１に貯留して、担体濾過槽２への流入を防ぐことができるようになっている。
【００５５】
次に、一次処理槽Ａ１及び二次処理槽Ａ２による汚水の浄化動作及び作用を説明する。
【００５６】
先ず、一次処理槽Ａ１に流入された汚水を固液分離装置等によって固液分離し、分離した被処理水をポンプＰによって担体流動槽１へ流入させる。
【００５７】
担体流動槽１に流入する被処理水は、徐々に増水されると共に、散気部１０からの空気の噴出で第１担体４Ａとともに撹拌されながら流動して、被処理水に含まれる有機物が第１担体４Ａに保持された好気性微生物により好気性分解処理される。
【００５８】
また、担体流動槽１の被処理水の貯留量が、移流口２Ａの高さまで至ると、被処理水が移流口２Ａを介して担体濾過槽２へ流入する。このとき、ポンプＰによる担体流動槽１への被処理水の流入量は、被処理水が担体濾過槽２へ流入している状態で、担体流動槽１の被処理水の水位が上限位置Ｌ２付近で保持される程度である。
【００５９】
担体濾過槽２に流入する被処理水は、積層された第２担体４Ｂ内に浸透しながら第２担体４Ｂを通過して傾斜面２２に沿って底部２１へと移動し、担体濾過槽２内で徐々に増水される。
【００６０】
すなわち、担体濾過槽２に流入する被処理水は、この被処理水の流入時における第２担体４Ｂへの浸透時、被処理水の底部への移動及び増水による第２担体４Ｂの通過時に、被処理水に含まれるＳＳ分が担体濾過される。
【００６１】
また、担体濾過槽２に流入した被処理水には、ポンプＰや散気部１０から供給される空気と担体濾過槽２の噴射部２３から噴出する空気が含まれており、この空気によって、第２担体４Ｂに付着した好気性微生物が活性化する。
【００６２】
したがって、被処理水が担体濾過槽２の下方から移流口３１へ向かって上昇して第２担体４Ｂを通過するときに、ＳＳ分の担体濾過と同時に、好気性微生物による被処理水に含まれる有機物の好気性分解処理を行うことができる。
【００６３】
このとき、被処理水の担体濾過槽２への流入が、担体流動槽１の被処理水の増水によるものであるため、担体濾過槽２での増水がゆっくりであり、しかも、第２担体４Ｂの比重が大きいものであるため、担体濾過槽２での増水による第２担体４Ｂの浮上や浮遊が生じず、これによって、第２担体４Ｂによる被処理水の処理を確実に行うことができる。
【００６４】
また、担体濾過槽２では、底部２１から噴射部２３の空気を噴出させており、噴出する空気の勢いで、被処理水と第２担体４Ｂとを下端開口部７Ａから揚水管７に流入させると共に、この揚水管７に沿って上昇させることで、被処理水と第２担体４Ｂと揚水管７内部で撹拌しながら、第２担体４Ｂに付着したＳＳ分を剥離して第２担体４Ｂを洗浄することができる。
【００６５】
第２担体４Ｂを洗浄してＳＳ分を含んだ洗浄水（被処理水）の大部分が、揚水管７を介して担体流動槽１に戻されて、再び、担体流動槽１での流動濾過が行われると共に、担体濾過槽２へと流入する。
【００６６】
一方、揚水管７に流入して洗浄された第２担体４Ｂと揚水管７から排水されなかった洗浄水の一部が、揚水管７を介して分離管６の内側へ戻され、戻された第２担体４Ｂが担体濾過槽２に積層された第２担体４Ｂの上部に落とされて積層される。
【００６７】
第２担体４Ｂの揚水管７への流入時には、担体濾過槽２の軸側の底部２１に積層された第２担体４から揚水管７に流入するため、担体濾過槽２の軸の外側の第２担体４が崩されながら徐々に担体濾過槽２の軸側の底部２１側へ移動する。
【００６８】
また、上昇する被処理水に対して第２担体４Ｂが底部２１へと移動するため、被処理水が第２担体４Ｂを通過する際に、被処理水と第２担体４Ｂとを互いに対向して接触させることができる。
【００６９】
すなわち、被処理水の担体濾過作業と同時に、第２担体４Ｂの洗浄を行うことができると共に、洗浄された第２担体４Ｂを分離管６の内側に戻しながら、下端開口部６０から分離管６の外側へと徐々に移動させることができる。
【００７０】
これによって、分離管６の内外に積層される第２担体４Ｂを、担体流動槽１から流入する被処理水を担体濾過してＳＳ分が付着した第２担体４Ｂから、洗浄されてＳＳ分が剥離した第２担体４Ｂへと徐々に更新することができる。
【００７１】
また、被処理水と第２担体４Ｂとを互いに対向するように移動させて接触させているため、第２担体４Ｂによる担体濾過の効率を向上させることができる。
【００７２】
また、揚水管７によって、第２担体４Ｂを洗浄することによってＳＳ分が含まれた洗浄水を担体流動槽１に戻すようにしているので、分離管６の外側に貯留された担体濾過済みの被処理水への、ＳＳ分が含まれた洗浄水の流入を防止することができる。
【００７３】
また、分離管６内の被処理水は、揚水管７から排水されず、ＳＳ分を含んだ洗浄水の一部が戻されるため、わずかながらもＳＳ分が含まれているが、分離管６の内外が仕切られているため、分離管６の外側に貯留された担体濾過済みの被処理水と、ＳＳ分が含まれた分離管６内の被処理水とを分離することができると共に、分離管６内に貯留された被処理水の分離管６外に貯留された被処理水への流入を防止することができる。
【００７４】
したがって、担体濾過槽２から処理槽３へ流入される担体濾過済みの被処理水に含まれるＳＳ分の残留量を低減することができ、これによって、汚水の浄化作業の効率性を向上させることができる。
【００７５】
また、担体濾過槽２の被処理水の下限位置Ｌ１’を、一次処理槽Ａ１及び担体濾過槽１の被処理水の上限位置Ｌ２よりも上位に設定しているため、一次処理槽Ａ１への汚水が大量に流入した際に、一次処理槽Ａ１と担体流動槽１の上部を流量調整槽として一時的に非処理水を少ない水位差で貯蔵できる。
【００７６】
また、汚水を担体流動槽１で貯留するため、担体濾過槽２での水位を正常に保つことができる。
【００７７】
尚、本発明は、例示した実施の形態に限定するものではなく、特許請求の範囲の各項に記載された内容から逸脱しない範囲の構成による実施が可能である。
【符号の説明】
【００７８】
Ａ：排水処理装置  
Ａ１：一次処理槽  
Ａ２：二次処理槽  
１：担体流動槽
２：担体濾過槽  
Ｐ：ポンプ  
４Ｂ：第２担体  
２１：底部  
５：移送管
Ｌ１：上限位置  
Ｌ１’：下限位置  
Ｌ２：上限位置  
５１：排水口  
６：分離管  
７：揚水管  
８：分離装置  
２３：噴射部  
６０：下端開口部
６１：上端開口部  
７Ａ：下端開口部  
７Ｂ：上端開口部  
８２：通水部  
８３：排水管  
８０Ａ：排出口
【図１】
2018138291.tif 000003
【図２】
2018138291.tif 000004
【図３】
2018138291.tif 000005
【図４】
2018138291.tif 000006
【図５】
2018138291.tif 000007
【図６】
2018138291.tif 000008
【図７】
2018138291.tif 000009
【図８】
2018138291.tif 000010